(57)【要約】【課題】外箱から内箱を引き出すと、内箱内が開放されて内包物が容易に取り出し得る簡単かつ安価な新規構造を備えた包装用容器を提供する【解決手段】外箱３からスライドして出し入れ可能な内箱５を有し、内箱５は合成樹脂製のインナー部材７を含み、インナー部材７は、内包物を収容可能なトレー部９と、トレー部９上をスライド移動可能に覆う中蓋部１３とを備え、トレー部９は、引き出し方向と直交する方向に位置する側面の上端面に、内箱５のスライド方向に連続したスライド溝部が形成されており、中蓋部１３は、トレー部９の開放上面を覆う大きさで、その側縁には、スライド溝部に摺接可能な案内突出部を備えて形成されており、中蓋部１３と外箱３との間で生じる摩擦力をａとし、中蓋部１３とトレー部９との間で生じる摩擦力をｂとしたときに、ａ＞ｂの関係を有する。【選択図】図１３
2019116293.tif 000002
【特許請求の範囲】
【請求項１】
少なくとも一つの開放された引き出し口を備えた外箱と、
前記外箱内に収容され、前記引き出し口からスライドして出し入れ可能な内箱と、を有し、
前記内箱は、合成樹脂製のインナー部材を含み、
前記インナー部材は、上面を開放し、内包物を収容可能なトレー部と、前記トレー部上をスライド移動可能で、前記内箱を前記外箱内に収容したときに、前記トレー部の開放上面を覆う中蓋部とを少なくとも備え、
前記中蓋部と前記外箱との間で生じる摩擦力をａとし、
前記中蓋部と前記トレー部との間で生じる摩擦力をｂとしたときに、
ａ＞ｂの関係を有することを特徴とする包装用容器。
【請求項２】
前記トレー部は、前記引き出し方向と直交する方向に位置する側面の上端面に、前記内箱のスライド方向に連続した所定長さのスライド溝部が形成されており、
前記中蓋部は、前記トレー部の側面の上端面に位置する側縁に、前記スライド溝部に摺接可能な案内突出部を備えて形成されていることを特徴とする請求項１に記載の包装用容器。
【請求項３】
前記案内突出部には、係止部が設けられており、
前記スライド溝部には、前記係止部が係止可能な被係止部が設けられていることを特徴とする請求項２に記載の包装用容器。
【請求項４】
前記係止部は、前記案内突出部における前記スライド溝部対向面に凹状に設けられており、
前記被係止部は、前記スライド溝部における前記案内突出部対向面に凸状に設けられていることを特徴とする請求項３に記載の包装用容器。
【請求項５】
前記案内突出部は、スライド方向に所定長さを持って長尺突条に形成され、
前記係止部は、前記長尺突条の案内突出部において、スライド方向の両端にそれぞれ一つずつ設けられており、
前記被係止部は、前記スライド溝部において、スライド方向の両端にそれぞれ一つずつ設けられていることを特徴とする請求項４に記載の包装用容器。
【請求項６】
前記中蓋部には、前記外箱の上部内面と対向する上面側に、前記外箱の上部内面と接触可能な凸部が備えられていることを特徴とする請求項１乃至５のいずれかに記載の包装用容器。
【発明の詳細な説明】
【技術分野】
【０００１】
本発明は、外箱から内箱を引き出して内包物を取り出すことが可能な包装用容器に関する。
【背景技術】
【０００２】
この種の包装用容器としては、例えばアーモンドチョコなどの粒状のチョコレート菓子（内包物）の包装用容器が知られている。
例えば、この種のチョコレート菓子の包装用容器は、端面を開放した矩形状の外箱と、上面を開放した矩形状で、前記外箱内に収容され、かつ前記外箱の開放された端面からスライドして出し入れ可能な内箱と、前記内箱に一端側を固着するとともに、内箱に内包されるチョコレート菓子上を覆うようにして配されるグラシン紙からなるシート状の中蓋部と、で構成されている。
この中蓋部は、内包されているチョコレート菓子を外方から受ける衝撃から保護する目的と、チョコレート菓子から出る油分が外箱に滲むのを防ぐ目的と、から採用されている。
【０００３】
ところで、この種の包装用容器に内包されているチョコレート菓子を食するには、外箱から内箱をスライドさせて引き出した後、内箱の上面を覆っているシート状の中蓋部を摘んで捲り上げてから取り出さなければならない。すなわち、このシート状の中蓋部は、自重によって常時チョコレート菓子の上方に覆い被さっているからである。
しかし、チョコレート菓子が、例えば転がり易い粒状のものであると、シート状の中蓋部を捲りあげようとしても、内包されているチョコレート菓子が内箱内で転がってしまい、シート状の中蓋部を摘み上げ難いといったことがある。
また、チョコレート菓子を食べていくに従って、内包されているチョコレート菓子の量が少なくなっていき、必然的に、シート状の中蓋部を支えているチョコレート菓子が少なくなる。そのような状態となると、シート状の中蓋部の端部（内箱引き出し側に位置する遊端側の端部）が、自重により、内箱の内底面側に下がって位置してしまうこととなり、さらに捲り上げ難いといった課題も有していた。
さらに、捲り上げていた中蓋部から指を離してしまうと、中蓋部は、再びチョコレート菓子上に覆い被さってしまうため、その都度、中蓋部を捲りあげる必要があった。
【０００４】
そこで、上述した課題を解決するために特許文献１に開示されているような構造を有する包装用容器が提案されている。
特許文献１に開示の包装用容器によれば、シート状の中蓋部の一端（遊端）側を、外箱に接着し、内箱を引き出すと、シート状の中蓋部が捲れ上がり、チョコレート菓子が現れる、と言った構造を有している。
このような構造を備えた包装用容器であれば、別途、シート状の中蓋部を捲るといった作業が不要となり、チョコレート菓子の取り出しが容易となる
【先行技術文献】
【特許文献】
【０００５】
【特許文献１】特開２０１３‐１８５２１号公報
【発明の概要】
【発明が解決しようとする課題】
【０００６】
しかし、このような先行技術の場合、包装用容器の製造工程において、シート状の中蓋部の一端（遊端）側を、接着剤を介して外箱に接着する工程等、多数の工程を要し、製造時間が余分に掛かると言った課題を有していた。また、シート状の中蓋部の一端（遊端）側を、接着剤を介して外箱に接着する作業は、機械的に行ない難いため、作業者が従事して行なわなければならず、労力が掛かると共に人件費も嵩むと言った課題を有していた。
【０００７】
本発明は、この問題を解決するためになされており、その目的は、外箱から内箱を引き出すと、内箱内が開放されて内包物が容易に取り出し得る簡単かつ安価な新規構造を備えた包装用容器を提供することにある。
【課題を解決するための手段】
【０００８】
このような目的を達成するために、第１の発明は、少なくとも一つの開放された引き出し口を備えた外箱と、
前記外箱内に収容され、前記引き出し口からスライドして出し入れ可能な内箱と、を有し、
前記内箱は、合成樹脂製のインナー部材を含み、
前記インナー部材は、上面を開放し、内包物を収容可能なトレー部と、前記トレー部上をスライド移動可能で、前記内箱を前記外箱内に収容したときに、前記トレー部の開放上面を覆う中蓋部とを少なくとも備え、
前記中蓋部と前記外箱との間で生じる摩擦力をａとし、
前記中蓋部と前記トレー部との間で生じる摩擦力をｂとしたときに、
ａ＞ｂの関係を有することを特徴とする包装用容器としたことである。
【０００９】
第２の本発明は、第１の本発明において、前記トレー部は、前記引き出し方向と直交する方向に位置する側面の上端面に、前記内箱のスライド方向に連続した所定長さのスライド溝部が形成されており、
前記中蓋部は、前記トレー部の側面の上端面に位置する側縁に、前記スライド溝部に摺接可能な案内突出部を備えて形成されていることを特徴とする包装用容器としたことである。
【００１０】
第３の本発明は、第２の本発明において、前記案内突出部には、係止部が設けられており、
前記スライド溝部には、前記係止部が係止可能な被係止部が設けられていることを特徴とする包装用容器としたことである。
【００１１】
第４の本発明は、第３の本発明において、
前記係止部は、前記案内突出部における前記スライド溝部対向面に凹状に設けられており、
前記被係止部は、前記スライド溝部における前記案内突出部対向面に凸状に設けられていることを特徴とする包装用容器としたことである。
【００１２】
第５の本発明は、第４の本発明において、前記案内突出部は、スライド方向に所定長さを持って長尺突条に形成され、
前記係止部は、前記長尺突条の案内突出部において、スライド方向の両端にそれぞれ一つずつ設けられており、
前記被係止部は、前記スライド溝部において、スライド方向の両端にそれぞれ一つずつ設けられていることを特徴とする包装用容器としたことである。
【００１３】
第６の本発明は、第１の本発明乃至第５の本発明のいずれかにおいて、前記中蓋部には、前記外箱の上部内面と対向する上面側に、前記外箱の上部内面と接触可能な凸部が備えられていることを特徴とする包装用容器としたことである。
【発明の効果】
【００１４】
本発明によれば、箱から内箱を引き出すと、内箱内が開放されて内包物が容易に取り出し得る簡単かつ安価な新規構造を備えた包装用容器を提供し得た。
【図面の簡単な説明】
【００１５】
【図１】本実施形態の包装用容器を構成するインナー部材の平面図で、中蓋部が閉じている状態を示す。
【図２】本実施形態の包装用容器を構成するインナー部材の平面図で、中蓋部が開いている状態を示す。
【図３】図１のIII−III線断面図である
【図４】図１のIV−IV線断面図である。
【図５】図１のV−V線断面図である。
【図６】（ａ）は図３の部分拡大図、（ｂ）は（ａ）の状態からトレー部をスライドさせて引き出し、トレー部と中蓋部との間に開放領域が形成されている状態の部分拡大図である。
【図７】中蓋部の平面図である。
【図８】中蓋部の側面図である。
【図９】中蓋部の正面図で、案内突出部を拡大して示す。
【図１０】トレー部の平面図である。
【図１１】トレー部の側面図である。
【図１２】トレー部の正面図である。
【図１３】本実施形態の包装用容器の動作状態を示す概略断面図で、（ａ）は外箱内に内箱が収容されている状態、（ｂ）は内箱をスライドさせて引き出した状態、（ｃ）は（ｂ）の状態からさらに内箱を引き出した状態をそれぞれ示す。
【図１４】図１３の（ａ）の部分拡大図で、内包されているチョコレート菓子を仮想線で示す。
【図１５】本実施形態の包装用容器の引き出し口側部分を拡大して示す概略斜視図で、外箱から内箱を引き出す状態を仮想線で示す。
【発明を実施するための形態】
【００１６】
以下、本発明の一実施形態に係る包装用容器について、添付図面を参照しつつ説明する。本実施形態では、アーモンドチョコなどの粒状のチョコレート菓子を内包物とする食品用の包装用容器を想定している。
なお、本実施形態は、本発明の一実施形態にすぎず、何等これに限定解釈されるものではなく、本発明の範囲内で設計変更可能である。
【００１７】
本実施形態の包装用容器１は、紙製の外箱３と、外箱３内に収容される内箱５と、で構成されている。
なお、図示しないが、チョコレート菓子（内包物）２１を内包した後、外箱３全体を外装フィルム（図示省略）にて包装している。
【００１８】
外箱３は、両側の端面を開放した平面視で矩形状の角筒形状に形成されている。
本実施形態では、左右の端面を開放し、一方の開放した端面を引き出し口３ａとしている。また、引き出し口３ａ側であることをわかり易くするため、外箱３における側面の引き出し口３ａ側の端部には、所定の切り欠き領域３ｂが設けられている（図１５参照。）。
この切り欠き領域３ｂは、引き出し口３ａ側であることを示すだけではなく、切り欠き領域３ｂから内箱５の一部が露出する構造となっているため、内箱５を引き出す際に、切り欠き領域３ｂから露出している内箱５を持って引き出すことにより、引き出し操作（スライド操作）が容易となる。
少なくとも一つの開放された引き出し口を備えていればよいため、左右いずれか一方の端面は開放されず閉じている形態であってもよい。
外箱３は、本実施形態に限定解釈されるものではなく、本発明の範囲内で適宜設計変更可能である。
【００１９】
内箱５は、外箱３内に収容されるとともに、引き出し口３ａからスライドして出し入れ可能な構成を有しており、例えば、本実施形態では、紙製の内箱本体６と、内箱本体６内に収容される合成樹脂製のインナー部材７とを含んで構成されている。
内箱本体６は、上面を開放した平面視矩形状で、インナー部材７を内装可能な高さ（深さ）を有する凹状の収容空間を有して形成されている。
内箱本体６の長さＬ１は外箱３の長さＬ２と略同一に設定されるとともに、幅Ｗ１と高さＨ１は、それぞれ外箱３の内面に摺接するように設定されている。
なお、各図中、Ｓ１は内箱５（若しくはトレー部９）の引き出し方向（スライド方向）を示し、Ｘ１は内箱５の引き出し方向と直交する方向を示す。
【００２０】
インナー部材７は、合成樹脂製のトレー部９と、合成樹脂製の中蓋部１３とで構成されている。
【００２１】
トレー部９は、上面を開放し、チョコレート菓子（内包物）２１を収容可能な凹状の内包部９ｂを有した平面視矩形状に形成されている。
また、本実施形態では、トレー部９の内包部９ｂの内底面に、凹凸部９ｇを形成している。
この凹凸部９ｇは、内包されるチョコレート菓子２１を衝撃から保護するためのクッションとしての役割を有するとともに、チョコレート菓子２１の接触面積を減らし、チョコレート菓子２１が内底面にくっついてしまうことを防止する役割を有している。本実施形態では、内箱５の引き出し方向Ｓ１と直交する方向Ｘ１、すなわち、トレー部９の側壁（側面）９ｃ，９ｃ間にわたって架け渡されるようにして形成される凹条部９ｈと凸条部９ｉとが交互に並設されている。凹凸部９ｇは、本実施形態のように、凹条部９ｈと凸条部９ｉが交互に並設されている形態ではなく、例えば、半球状に窪む凹部と、半球状に突出する凸部とが多数形成されてなる形態などであってもよく、本発明の範囲内で設計変更可能である。
トレー部９の長さＬ３は、内箱本体６の長さＬ１よりも短く設定され、幅Ｗ３は内箱本体６の幅Ｗ１よりも狭く設定され、高さＨ３は内箱本体６の高さＨ１と略同一若しくは僅かに低く設定され、内箱本体６内に内装される。
【００２２】
トレー部９の側壁（側面）９ｃの上端面９ｄ、すなわち、内箱５の引き出し方向（スライド方向）Ｓ１と直交する方向Ｘ１に位置する側壁（側面）９ｃの上端面９ｄには、内箱５の引き出し方向Ｓ１に所定範囲で連続した所定長さ・所定深さのスライド溝部１１が凹状に形成されている。
【００２３】
スライド溝部１１は、上端面９ｄより一段低く形成されている高所スライド面１１ａと、高所スライド面１１ａより内側で、高所スライド面１１ａから連続して一段低く形成されている低所スライド面１１ｂと、で構成された段差状に形成されている。
この高所スライド面１１ａは、後述する中蓋部１３に設けられる案内突出部１５の外側案内突出部１５ａが対向して摺接する第一の対向面として機能し、低所スライド面１１ｂは、前記案内突出部１５の内側案内突出部１５ｂが対向して摺接する第二の対向面として機能する。
【００２４】
低所スライド面（第二の対向面）１１ｂには、凸状の被係止部１１ｅ，１１ｆが設けられている。
被係止部１１ｅ，１１ｆは、低所スライド面１１ｂからなだらかな曲面をもって湾曲凸状に設けられている。
本実施形態では、低所スライド面（第二の対向面）１１ｂにおいて、スライド方向Ｓ１の両側の端部１１ｃ（引き出し口側），１１ｄ（反引き出し口側）にて、両側の端部１１ｃ，１１ｄからそれぞれ僅かに所定距離をあけ、かつ両被係止部１１ｅ，１１ｆが所定距離離れた位置に、それぞれ一つずつ設けられている。
引き出し口側の被係止部１１ｅを第一の被係止部といい、反引き出し口側の被係止部１１ｆを第二の被係止部という。
【００２５】
本実施形態にて、スライド溝部１１は、側壁（側面）の上端面全体長さの約１／２程度の長さで、反引き出し口側に寄った状態で形成されており、スライド溝部１１を除いた側壁（側面）９ｃの上端面９ｄは、引き出し口側の領域９ｅの方が、反引き出し口側の領域９ｆよりも広く（長く）形成されている。
【００２６】
中蓋部１３は、内箱５を外箱３内に収容したときに、トレー部９の開放上面全域を覆う程度の大きさの平面視矩形状の薄肉シート状に形成されている。
また、本実施形態では、引き出し口側の端部１３ａに反引き出し口側に窪んだ指掛け用切り欠き部２３が形成されている。さらに、指掛け用切り欠き部２３に近接させて、中蓋部１３が相対的に移動する方向を示す矢印２５を設けている。
【００２７】
中蓋部１３は、トレー部９の側壁（側面）９ｃの上端面９ｄにて、トレー部９上を引き出し方向Ｓ１にスライド移動可能に構成されている。
例えばその一例を説明すると、トレー部９の側壁（側面）９ｃの上端面９ｄと摺接する中蓋部１３の縁部内面（側縁の内面）には、トレー部９のスライド溝部１１に摺接し、トレー部９の引き出し方向Ｓ１の移動を案内する案内突出部１５を備えて形成されている。
【００２８】
本実施形態の案内突出部１５は、引き出し方向Ｓ１に所定長さを持って長尺突条に形成されている。具体的には、中蓋部１３の内面から一段下がって形成され、トレー部９の高所スライド面１１ａに対向して摺接可能な外側案内突出部１５ａと、外側案内突出部１５ａから連続して一段下がって形成され、トレー部９の低所スライド面１１ｂと対向して摺接可能な内側案内突出部１５ｂとで構成されている。
また、本実施形態の案内突出部１５は、スライド溝部１１全体長さの約１／２程度の長さで、かつ中蓋部１３の長さ方向（引き出し方向Ｓ１）で、多少、反引き出し口側に寄った状態で形成されている。
すなわち、案内突出部１５が、スライド溝部１１の端部（引き出し口側）１１ｃに突き当たったとき、中蓋部１３の端部（引き出し口側）１３ａが、トレー部９の端部（引き出し口側）９ａと重なる位置（図１、図３に示す中蓋部閉鎖位置Ａ１）となるように案内突出部１５の位置が設定される。
【００２９】
内側案内突出部１５ｂの外側面１５ｃは、高所スライド面１１ａから低所スライド面１１ｂに向かって連続して垂設されるそれぞれの垂設壁１１ｇと摺接している。従って、内箱５をスライドさせて引き出す際に、中蓋部１３が外方へとずれることなく案内可能である。
【００３０】
トレー部９の低所スライド面１１ｂと対向する内側案内突出部１５ｂの摺接面には、引き出し方向Ｓ１の両端にそれぞれ一つずつ、低所スライド面１１ｂに設けられている被係止部（第一の被係止部）１１ｅと被係止部（第二の被係止部）１１ｆに係止可能な係止部１５ｆ，１５ｇが凹状に設けられている。
第一の被係止部１１ｅに係止可能な引き出し口側の係止部１５ｆを第一の係止部といい、第二の被係止部１１ｆに係止可能な反引き出し口側の係止部１５ｇを第二の係止部という。
【００３１】
第一の係止部１５ｆと第二の係止部１５ｇは、なだらかな曲面をもって湾曲凸状に設けられている第一の被係止部１１ｅと第二の被係止部１１ｆに嵌って係止可能なように、それぞれがなだらかな曲面をもって湾曲凹状に設けられている。
【００３２】
また、本実施形態の中蓋部１３には、外箱３の内面（上部内面３ｃ）と対向する上面側に、外箱３の内面（上部内面３ｃ）と軽接触可能な凸部１７が備えられている。
【００３３】
凸部１７は、中蓋部１３の上面側で、側縁間にわたって連続した所定長さの突条で、引き出し方向（スライド方向）Ｓ１に一定間隔をあけて複数本突設されている。
【００３４】
また、凸部１７は、トレー部９の側壁９ｃの上端面９ｄに掛からない程度の長さに設定されている。
さらにこの凸部１７は、中蓋部１３をトレー部９の上方に配設したときに、内箱５(内箱本体６)の高さＨ１よりも僅かに突出するように高く形成され、内箱５を外箱３内に組み入れたときに、凸部１７が外箱３の上部内面３ｃに軽く接触するように設定されている。
【００３５】
すなわち、凸部１７が外箱３の上部内面３ｃと軽接触するように設定することにより、中蓋部１３と外箱３の上部内面３ｃとの間には摩擦が生じるため、内箱５をスライドさせて外箱３から引き出そうとすると、中蓋部１３を残した状態で内箱本体６とトレー部９だけが引き出されていくこととなる。
このような作用を発揮するために、本実施形態では、インナー部材７を構成するトレー部９と中蓋部１３とが、摩擦力の低い合成樹脂材料を用いて成形されるものとした。すなわち、トレー部９のスライド溝部１１と中蓋部１３の案内突出部１５との間で生じる摩擦力をｂとし、中蓋部１３の上面の凸部１７と外箱３の上部内面３ｃとの間で生じる摩擦力をａとしたとき、ａ＞ｂの関係を有するように構成する。このように、トレー部９のスライド溝部１１と中蓋部１３の案内突出部１５との間で生じる摩擦力ｂが、中蓋部１３の上面の凸部１７と外箱３の上部内面３ｃとの間で生じる摩擦力ａよりも小さいものとすることにより、内箱５をスライドさせて引き出す際に中蓋部１３が取り残されるといった作用が発揮される。
【００３６】
凸部１７は、本実施形態のように複数本の突条からなるものと異なり、多数の半球状の凸部からなるものなど、所定形状に突出し、外箱３の上部内面３ｃとの間で軽い摩擦を生じさせ得る形態であれば本発明の範囲内であって任意に設計変更可能である。
【００３７】
本実施形態の包装用容器１によれば、次のような作用効果が発揮される。
【００３８】
内箱本体６内にトレー部９を収容し、チョコレート菓子２１を所定容量充填した後、案内突出部１５をトレー部９のスライド溝部１１に摺接させてトレー部９上を覆うように中蓋部１３を配設すると、内箱本体６の高さ方向にて、内箱本体６の側壁６ａの上端から、中蓋部１３の上面の凸部が僅かに突出する（図３、図９（ａ）、図１３（ａ）、図１４。）。
また、このとき、中蓋部１３の案内突出部１５に形成されている第一の係止部１５ｆは、トレー部９のスライド溝部（低所スライド面）１１に形成されている第一の被係止部１１ｅに嵌って係止状態である（図３、図９（ａ）、図１３（ａ）。）。
そして、この状態で外箱３内に収容すると、外箱３の上部内面に、中蓋部１３の上面の凸部が軽く摺接している状態となる（図１３（ａ）、図１４。）。
【００３９】
従って、チョコレート菓子２１を食べようとして内箱５を引き出すと、トレー部９のスライド溝部１１と中蓋部１３の案内突出部１５との間で生じる摩擦力が、中蓋部１３の上面の凸部と外箱３の上部内面との間で生じる摩擦力よりも小さいため、内箱５をスライドさせて引き出す際に中蓋部１３が取り残される（図１３（ｂ）。）。
これにより、中蓋部１３の案内突出部１５に形成されている第一の係止部１５ｆと、トレー部９のスライド溝部（低所スライド面）１１に形成されている第一の被係止部１１ｅとの係止状態が解除され、スライド溝部１１が案内突出部１５に摺接しながら内箱本体６とトレー部９だけがスライド移動して引き出され、中蓋部１３は外箱３内に取り残される。
そして、案内突出部１５に形成されている第二の係止部１５ｇが、トレー部９に形成されている第二の被係止部１１ｆに係止するまで内箱５（トレー部９）を引き出す（中蓋部開口位置Ａ２を示す図１３（ｂ）。）。
中蓋部１３が内箱本体６（トレー部９）と共に引き出されていかないため、内箱本体６の端部（トレー部９の端部）と中蓋部１３の端部との間には、所定の開口領域が自動的に形成される。これにより、中蓋部１３に触れることなく、自由に内包されているチョコレート菓子を取り出して食することができる（図１３（ｂ）。）。
【００４０】
なお、図１３（ｃ）は、図１３（ｂ）の状態から、さらに内箱５をスライドさせて引き出した状態を示す。このとき、案内突出部１５に形成されている第二の係止部１５ｇが、トレー部９に形成されている第二の被係止部１１ｆに係止され、案内突出部１５の端部（反引き出し口側）が、スライド溝部１１の端部（反引き出し口側）に突き当たっているため、中蓋部１３は外箱３内から内箱本体６（トレー部９）と共に引き出されてくる。このような状態まで引き出すことにより、中蓋部１３の一部（引き出し口側の端部）が現れているため、中蓋部１３の一部（引き出し口側の端部）を摘んで捲り上げることもでき、このようにすれば図１３（ｂ）の状態よりもさらに開口領域を大きくすることができる。
【００４１】
内箱５をスライドさせて引き出したときの、中蓋部１３の開口領域は、任意に設計変更可能である。
例えば、案内突出部１５の大きさ（長さ）を、スライド溝部１１の大きさ（長さ）に対して小さく（短く）すればするほど、内箱本体６（トレー部９）の引き出し方向の移動距離が長くなるため、中蓋部１３の端部（引き出し口側）がトレー部９の端部（引き出し口側）から離れる距離が長くなる。すなわち、開口領域が広くなる。また、スライド溝部１１を長く形成することであっても同様の作用効果が発揮し得る。
また、係止部は、内側案内突出部の摺接面に一つだけ形成されるものであってもよい。
【００４２】
さらに、図示はしないが、係止部は、内側案内突出部の摺接面に三つ以上形成し、そして、スライド溝部１１の第一の被係止部１１ｅと第二の被係止部１１ｆの中間位置あたりに、第三の被係止部を凸状に設け、第一の被係止部１１ｅに第一の係止部１５ｆが係止する中蓋部閉鎖位置Ａ１と、第二の被係止部１１ｆに第二の係止部１５ｇが係止する中蓋部開口位置Ａ２との間で、前記開口位置よりも小さく開口する第二の開口位置を形成するように構成するものであってもよく任意である。
「他の実施形態」
【００４３】
上述した本実施形態の構成と異なり、図示は省略するが、インナー部材７を構成するトレー部９と中蓋部１３とを次のように構成することも可能である。
【００４４】
例えば、トレー部のスライド溝部は、側壁の上端面より一段低く形成されている高所スライド面と、高所スライド面より外側で、かつ高所スライド面から連続して一段低く形成されている低所スライド面と、で構成された段差状に形成されていてもよい。すなわち、高所スライド面と低所スライド面との位置が、上述した本実施形態と外内で反対位置に形成するものとする。
そして、中蓋部の案内突出部は、中蓋部の内面から一段下がって形成され、トレー部の高所スライド面に対向して摺接可能な内側案内突出部と、内側案内突出部よりも外側で、かつ内側案内突出部から連続して一段下がって形成され、トレー部の低所スライド面と対向して摺接可能な外側案内突出部とで構成されているものとする。すなわち、内側案内突出部と外側案内突出部との位置が、上述した本実施形態と外内で反対位置に形成するものとする。
このように構成することとしても、上述した本実施形態と同様の作用効果が発揮される。
さらに、本実施形態では、トレー部９にスライド溝部１１を形成し、中蓋部１３に、スライド溝部１１に摺接する案内突出部１５を形成した実施の一形態を示したが、中蓋部の縁部内面（側縁の内面）に本実施形態と同様のスライド溝部を形成し、トレー部の側壁（側面）の上端面に本実施形態と同様、前記スライド溝部に摺接する案内突出部を形成する形態とすることも可能で、本発明の範囲内である。
また、本実施形態では、紙製の内箱本体６と、内箱本体６内に収容される合成樹脂製のインナー部材７と、で内箱５を構成しているが、紙製の内箱本体６を省略して合成樹脂製のインナー部材７のみで内箱５を構成することも可能で本発明の範囲内である。
【産業上の利用可能性】
【００４５】
本発明は、チョコレート菓子以外の食品用の包装用容器にも利用可能であり、さらには食品以外の包装用容器にも利用可能である。
【符号の説明】
【００４６】
１  包装用容器
３  外箱
３ａ  引き出し口
５  内箱
７  インナー部材
９  トレー部
９ｃ  側面（側壁）
９ｄ  上端面
１１  スライド溝部
１３  中蓋部
１５  案内突出部
Ｓ１  引き出し方向
Ｘ１  引き出し方向と直交する方向
【図１】
2019116293.tif 000003
【図２】
2019116293.tif 000004
【図３】
2019116293.tif 000005
【図４】
2019116293.tif 000006
【図５】
2019116293.tif 000007
【図６】
2019116293.tif 000008
【図７】
2019116293.tif 000009
【図８】
2019116293.tif 000010
【図９】
2019116293.tif 000011
【図１０】
2019116293.tif 000012
【図１１】
2019116293.tif 000013
【図１２】
2019116293.tif 000014
【図１３】
2019116293.tif 000015
【図１４】
2019116293.tif 000016
【図１５】
2019116293.tif 000017